(57)【要約】【課題】本発明は、極めて商品価値の高い画期的な冷蔵庫及び冷蔵庫の扉体を提供することを目的とする。【解決手段】冷蔵庫本体１を構成する周壁に、冷蔵庫本体１内の収納空間Ｓ１と冷蔵庫本体１外の外空間Ｓ２とを連通状態とする貫通部２を設け、この貫通部２に炭体３を配設して、前記収納空間Ｓ１と外空間Ｓ２とが炭体３を介して通気可能となるように構成されたものである。【選択図】        図１
2004354016.tif 000002
【特許請求の範囲】
【請求項１】
冷蔵庫本体を構成する周壁に、冷蔵庫本体内の収納空間と冷蔵庫本体外の外空間とを連通状態とする貫通部を設け、この貫通部に炭体を配設して、前記収納空間と外空間とが炭体を介して通気可能となるように構成されていることを特徴とする冷蔵庫。
【請求項２】
前記貫通部に炭体を着脱自在に配設したことを特徴とする請求項１記載の冷蔵庫。
【請求項３】
前記貫通部に該貫通部を閉塞し得る開閉蓋を設けたことを特徴とする請求項１，２のいずれか１項に記載の冷蔵庫。
【請求項４】
前記貫通部を、前記収納空間に収納物を出し入れする為の扉体に設けたことを特徴とする請求項１〜３のいずれか１項に記載の冷蔵庫。
【請求項５】
冷蔵庫本体を構成する扉体に、冷蔵庫本体内の収納空間と冷蔵庫本体外の外空間とを連通状態とする貫通部を設け、この貫通部には炭体が配設されていることを特徴とする冷蔵庫の扉体。
【発明の詳細な説明】
【０００１】
【発明の属する技術分野】
本発明は、冷蔵庫及び冷蔵庫の扉体に関するものである。
【０００２】
【従来の技術及び発明が解決しようとする課題】
従来から、冷蔵庫内の収納空間に配設され、該収納空間に収納した食品から発生するアンモニアやエチレンガスなどによる不快臭を除去するための脱臭剤が種々提案されている。
【０００３】
この脱臭剤については、現在においても研究・開発が進められているが、長時間（長期間）良好な脱臭効果を達成するのは困難であるなど、未だ満足できるものが出来ていないのが現状であり、よって、良好な脱臭効果が得られ、冷蔵庫内の収納空間を良好な環境にし得る技術の開発が望まれている。
【０００４】
本出願人は、上述した問題点に着目し、種々の実験・研究を繰り返し行った結果、極めて商品価値の高い画期的な冷蔵庫及び冷蔵庫の扉体を開発した。
【０００５】
【課題を解決するための手段】
添付図面を参照して本発明の要旨を説明する。
【０００６】
冷蔵庫本体１を構成する周壁に、冷蔵庫本体１内の収納空間Ｓ１と冷蔵庫本体１外の外空間Ｓ２とを連通状態とする貫通部２を設け、この貫通部２に炭体３を配設して、前記収納空間Ｓ１と外空間Ｓ２とが炭体３を介して通気可能となるように構成されていることを特徴とする冷蔵庫に係るものである。
【０００７】
また、前記貫通部２に炭体３を着脱自在に配設したことを特徴とする請求項１記載の冷蔵庫に係るものである。
【０００８】
また、前記貫通部２に該貫通部２を閉塞し得る開閉蓋４を設けたことを特徴とする請求項１，２のいずれか１項に記載の冷蔵庫に係るものである。
【０００９】
また、前記貫通部２を、前記収納空間Ｓ１に収納物を出し入れする為の扉体５に設けたことを特徴とする請求項１〜３のいずれか１項に記載の冷蔵庫に係るものである。
【００１０】
また、冷蔵庫本体１を構成する扉体５に、冷蔵庫本体１内の収納空間Ｓ１と冷蔵庫本体１外の外空間Ｓ２とを連通状態とする貫通部２を設け、この貫通部２には炭体３が配設されていることを特徴とする冷蔵庫の扉体に係るものである。
【００１１】
【発明の実施の形態】
好適と考える本発明の実施の形態（発明をどのように実施するか）を、図面に基づいてその作用効果を示して簡単に説明する。
【００１２】
本発明は、冷蔵庫本体１を構成する周壁に配設される炭体３によって良好な脱臭効果が得られる。尚、炭が持つ特性（脱臭効果や空気洗浄効果）については従来から種々の実験・研究により確認されている。
【００１３】
ところで、本発明は、冷蔵庫本体１を構成する周壁に、冷蔵庫本体１内の収納空間Ｓ１と冷蔵庫本体１外の外空間Ｓ２とを連通状態とする貫通部２を設け、この貫通部２に炭体３を配設している。
【００１４】
このことから冷蔵庫本体１内の収納空間Ｓ１と冷蔵庫本体１外の外空間Ｓ２とが炭体３を介して通気可能となることで、新鮮な空気を収納空間Ｓ１に取り入れることができることになる為、炭体３がもつ脱臭効果に加えてより一層の脱臭効果（換気機能）が得られることになる。
【００１５】
【実施例】
本発明の具体的な実施例について図面に基づいて説明する。
【００１６】
本実施例は、冷蔵庫本体１を構成する周壁に、冷蔵庫本体１内の収納空間Ｓ１と冷蔵庫本体１外の外気空間Ｓ２とを連通状態とする貫通部２を設け、この貫通部２に炭体３を配設して、収納空間Ｓ１と外空間Ｓ２とが炭体３を介して通気可能となるように構成したものである。
【００１７】
具体的には、本実施例に係る冷蔵庫本体１は、周囲を壁部で覆われた中空の六面体、即ち、図１〜３に図示したように天面体６Ａ、底面体６Ｂ、背面体６Ｃ及び左右側面体６Ｄ，６Ｅで構成されて正面開口部６ａを有する箱状体６と、この箱状体６の正面位置に枢着され、正面開口部６ａを閉塞し得る扉体５（上扉体及び下扉体）とで構成されている。尚、冷蔵庫本体１には冷蔵庫としての基本冷却構造（図示省略）が設けられる。符号６Ｆは冷蔵庫本体１内の収納空間Ｓ１を上下に仕切る仕切り体である。
【００１８】
この扉体５（下扉体）には、その上方位置に貫通部２が設けられている。
【００１９】
この貫通部２は、扉体５の外表面部５ａと内表面部５ｂとに貫通する正面視方形状の貫通孔を形成して構成されており、後述する炭体３を着脱自在に配設し得るように構成されている。尚、本実施例では、炭体３を配設する貫通部２を冷蔵庫本体１を構成する扉体５に設けたが、その他の周壁、即ち、天面体６Ａ、底面体６Ｂ、背面体６Ｃ及び左右側面体６Ｄ，６Ｅに設けるようにしても良い。
【００２０】
また、この貫通部２には、該貫通部２を閉塞して冷蔵庫本体１内の収納空間Ｓ１と冷蔵庫本体１外の外空間Ｓ２とを遮断する開閉蓋４が設けられている。
【００２１】
この開閉蓋４は、扉体５の外表面部５ａにして貫通部２の左右位置夫々に設けられるスライドレール７を介して配設されており、このスライドレール７に沿って上下方向にスライド移動し得るように構成されている。
【００２２】
従って、例えば外空間Ｓ２の温度が上昇する夏場の熱い季節にはこの開閉蓋４を適宜閉じて冷蔵庫内の冷気の損失を可及的に抑制し得ることになる。尚、開閉蓋４に温度計や湿度計などを設けるようにしても良い。
【００２３】
炭体３は、図１〜３に図示したように木炭を角柱形状に形成して構成されており、前述した扉体５の貫通部２に着脱自在に配設し得るように構成されている。
【００２４】
この炭体３を構成する木炭は、食品にも人体にも無害で温度変化による影響も殆ど受けず、湿度コントロールの働きを有し、そして、ガスや液体等を吸着し、防カビ、悪臭の除去、不純物の吸着性も有するものであり、これらの機能を半永久的に持続できる特性を有するものである。また、炭体３は、その特性の一つとして秀れた断熱性も有しており、よって、この点においても、貫通部２を設けることで危惧される冷蔵庫内の冷気の損失を可及的に抑制し得ることになる。尚、炭体３は木炭に限らずセラミックなど適宜採用し得るものである。
【００２５】
本実施例は上述のように構成したから、冷蔵庫本体１を構成する扉体５に配設される炭体３によって良好な脱臭効果や空気洗浄効果が得られ、しかも、この炭体３は、冷蔵庫本体１を構成する扉体５に設けられ、冷蔵庫本体１内の収納空間Ｓ１と冷蔵庫本体１外の外空間Ｓ２とを連通状態とする貫通部２に配設される構成であるから、この収納空間Ｓ１と外空間Ｓ２とが炭体３を介して通気可能となることで新鮮な空気を収納空間Ｓ１に取り入れることができることになり、よって、炭体３がもつ脱臭効果（ガスや液体などの不純物の吸着作用）や空気清浄効果（マイナスイオン効果）に加えてより一層の脱臭効果（換気機能）が得られることになり、湿度コントロール機能も良好に発揮されることになる。
【００２６】
また、本実施例は、貫通部２に炭体３を着脱自在に配設したから、炭体３を取り替えることで常に良好な脱臭効果や空気洗浄効果が得られることになる。
【００２７】
また、本実施例は、貫通部２に該貫通部２を閉塞し得る開閉蓋４を設けたから、常に貫通部２が開放状態であるわけではなく、ユーザーが望むときだけ通気させることができるから、例えば外空間Ｓ２の温度が高い夏場であっても、冷蔵庫内の冷気を失わないようにすることができ、収納空間Ｓ１を食品等を収納する環境として常に良好な状態に維持することができる（この開閉蓋４を設けたこと自体がユーザーに安心感を与えることにもなる。）。
【００２８】
また、本実施例は、貫通部２を前記収納空間Ｓ１に収納物を出し入れする為の扉体５に設けたから、炭体３の取り換え作業や開閉蓋４の開閉作業が行い易いことになり、しかも、より一層良好な脱臭効果及び空気清浄効果が得られることになる。
【００２９】
即ち、冷蔵庫を設置する場所を考慮すると、扉体５が設けられる冷蔵庫の正面位置が最も空気に流れがあり、新鮮な空気を取り入れる場所として適していると考えられ、よって、炭体３の機能が良好に発揮されることになる。
【００３０】
尚、本発明は、本実施例に限られるものではなく、各構成要件の具体的構成は適宜設計し得るものである。
【００３１】
【発明の効果】
本発明は上述のように構成したから、良好な脱臭効果が得られることになるなど極めて商品価値の高い画期的な冷蔵庫となる。
【００３２】
また、請求項２記載の発明においては、常に良好な脱臭効果が発揮される環境が得られることになるなど極めて商品価値の高い画期的な冷蔵庫となる。
【００３３】
また、請求項３記載の発明においては、冷蔵庫本体内の収納空間を食べ物や飲料などの食品を収納する環境として常に良好な状態に維持することができるなど極めて商品価値の高い画期的な冷蔵庫となる。
【００３４】
また、請求項４記載の発明においては、炭体の機能が良好に発揮されることになるなど極めて商品価値の高い画期的な冷蔵庫となる。
【００３５】
また、請求項５記載の発明においては、良好な脱臭効果が得られることになるなど極めて商品価値の高い画期的な冷蔵庫の扉体となる。
【図面の簡単な説明】
【図１】本実施例を示す正面図である。
【図２】図１のＡ−Ａ断面図である。
【図３】本実施例を示す斜視図である。
【図４】本実施例を示す正面図である。
【符号の説明】
Ｓ１  収納空間
Ｓ２  外空間
１  冷蔵庫本体
２  貫通部
３  炭体
４  開閉蓋
５  扉体
【図１】
2004354016.tif 000003
【図２】
2004354016.tif 000004
【図３】
2004354016.tif 000005
【図４】
2004354016.tif 000006